(57)【要約】【課題】ディスプレイに表示される波形の測定日時を容易に把握させる生体情報表示装置を提供する。【解決手段】生体情報表示装置は、第１時刻表示処理部２０１と、生体情報波形取得部２０４と、表示部２０９と、タッチパネルディスプレイ１１とを備える。第１時刻表示処理部２０１は、１日の長さを表す所定の長さのバー表示と、そのバー表示上の位置によって時刻を表す目印表示とで構成される第１時刻表示を生成する。表示部２０９は、生体情報波形取得部２０４で取得される生体情報波形を生体情報ページ画面の特定領域に配置させ、第１時刻表示を生体情報ページ画面内に配置させた生体情報ページ画面をタッチパネルディスプレイ１１に表示させる。第１時刻表示処理部２０１は、上記特定領域に配置される生体情報波形の測定時刻に連動して第１時刻表示を更新する。【選択図】  図３
2018075223.tif 000002
【特許請求の範囲】
【請求項１】
ディスプレイと、
生体情報を示すページ画面である生体情報ページ画面を生成する生体情報ページ画面生成部と、
１日又は１日を整数分割した３時間以上の部分日の長さを表す所定の長さのバー表示、及び、該バー表示上の位置によって時刻を表す目印表示から構成される第１時刻表示を生成する第１時刻表示処理部と、
生体情報の時間変化を表す波形である生体情報波形を取得する生体情報波形取得部と、
前記生体情報波形取得部が取得した前記生体情報波形を前記生体情報ページ画面の特定領域に配置すると共に、前記第１時刻表示を前記生体情報ページ画面内に配置した前記生体情報ページ画面を前記ディスプレイに表示させる表示部と、
を備え、
前記第１時刻表示処理部は、前記特定領域に配置される前記生体情報波形の測定時刻に連動して前記第１時刻表示を更新することを特徴とする、
生体情報表示装置。
【請求項２】
前記目印表示の移動操作を受け付ける目印表示移動操作部を備え、
前記第１時刻表示処理部は、前記移動操作に応じた前記バー表示上の位置に前記目印表示を移動させ、
前記生体情報波形取得部は、前記目印表示が移動されると、前記バー表示上における移動後の前記目印表示の位置に対応する時刻を測定時刻とする前記生体情報波形を取得することを特徴とする、
請求項１に記載の生体情報表示装置。
【請求項３】
前記特定領域に配置される前記生体情報波形の測定時刻を数字で表す第２時刻表示を生成する第２時刻表示処理部を備え、
前記表示部は、さらに、前記生体情報ページ画面内に前記第２時刻表示を配置して前記ディスプレイに表示させることを特徴とする、
請求項１または２に記載の生体情報表示装置。
【請求項４】
前記第２時刻表示処理部は、前記特定領域に配置される前記生体情報波形の測定時刻が更新されると、連動して前記第２時刻表示を更新することを特徴とする、
請求項３に記載の生体情報表示装置。
【請求項５】
前記第２時刻表示の時刻を変更する時刻変更操作を受け付ける時刻表示操作部を備え、
前記第２時刻表示処理部は、前記時刻表示操作部が受け付けた前記時刻変更操作に応じた時刻に前記第２時刻表示を更新し、
前記生体情報波形取得部は、前記第２時刻表示に表示される時刻が変更されると、その変更時刻を測定時刻とする前記生体情報波形を取得することを特徴とする、
請求項３又は４に記載の生体情報表示装置。
【請求項６】
前記特定領域に配置される前記生体情報波形の測定日を表示する日付表示を生成する日付表示処理部を備え、
前記表示部は、さらに、前記生体情報ページ画面内に前記日付表示を配置して前記ディスプレイに表示させることを特徴とする、
請求項１〜５に記載の生体情報表示装置。
【請求項７】
前記日付表示処理部は、前記特定領域に配置される前記生体情報波形の測定日が更新されると、連動して前記日付表示を更新することを特徴とする、
請求項６に記載の生体情報表示装置。
【請求項８】
前記日付表示の日付を変更する日付変更操作を受け付ける日付表示操作部を備え、
前記日付表示処理部は、前記日付表示操作部が受け付けた前記日付変更操作に応じた日付に前記日付表示を更新し、
前記生体情報波形取得部は、前記日付表示に表示される日付が変更されると、その変更される日付を測定日とする前記生体情報波形を取得することを特徴とする、
請求項６または７に記載の生体情報表示装置。
【請求項９】
前記特定領域内に配置させる前記生体情報波形を移動させることで表示範囲を選択する操作を受け付ける波形表示範囲選択操作部を備え、
前記生体情報波形取得部は、前記表示範囲に応じた前記生体情報波形を取得することを特徴とする、
請求項１〜８のいずれかに記載の生体情報表示装置。
【請求項１０】
前記波形表示範囲選択操作部は、測定時刻順に配置される前記生体情報波形をスクロール移動させるスクロール操作によって前記表示範囲を受け付けるようになっており、
前記生体情報波形取得部は、前記スクロール操作の操作量に応じた前記生体情報波形を取得することを特徴とする、
請求項９に記載の生体情報表示装置。
【請求項１１】
前記ディスプレイは、タッチパネルディスプレイであり、
前記目印表示移動操作部は、前記ディスプレイに表示される前記目印表示にタッチ操作をされた状態で、前記バー表示上に沿ったスライド操作をされることにより前記目印表示の移動の操作を受け付けることを特徴とする、
請求項２に記載の生体情報表示装置。
【請求項１２】
前記ディスプレイは、タッチパネルディスプレイであり、
前記時刻表示操作部は、前記ディスプレイに表示される前記第２時刻表示にタッチ操作をされることにより前記時刻変更操作を受け付けることを特徴とする、
請求項５に記載の生体情報表示装置。
【請求項１３】
前記ディスプレイは、タッチパネルディスプレイであり、
前記日付表示操作部は、前記ディスプレイに表示される前記日付表示にタッチ操作をされることにより前記日付変更操作を受け付けることを特徴とする、
請求項８に記載の生体情報表示装置。
【請求項１４】
前記バー表示は、１日の長さを少なくとも１行で表示されるものであることを特徴とする、
請求項１〜１３に記載の生体情報表示装置。
【請求項１５】
午前又は午後を表す午前午後表示を生成する午前午後表示処理部を備え、
前記バー表示は、前記部分日となる１２時間を少なくとも１行で表示し、前記午前又は午後の表示と組み合されて表示され、
前記午前午後表示処理部は、前記第１時刻表示が更新されて時刻が午前、または、午後に変更されると、前記午前午後表示を更新することを特徴とする、
請求項１〜１４に記載の生体情報表示装置。
【請求項１６】
前記バー表示は、１日を複数行にわたって表示されるものであることを特徴とする、
請求項１〜１５に記載の生体情報表示装置。
【請求項１７】
前記バー表示における時間を単位時間毎に区切って、該単位時間の長さを表す所定の長さの単位時間バー表示、及び、前記単位時間バー表示上における位置によって前記単位時間内における経過時間を表す目印表示である単位時間目印表示から構成される単位時間表示を生成する単位時間表示処理部を備え、
前記第１時刻表示処理部における前記バー表示上における前記目印表示は、前記単位時間目印表示の位置と連動して移動し、
前記表示部は、さらに、前記生体情報ページ画面内に前記単位時間表示を配置して前記ディスプレイに表示させることを特徴とする、
請求項１〜１６に記載の生体情報表示装置。
【請求項１８】
ディスプレイへの表示を制御する生体情報表示制御装置であって、
生体情報を示すページ画面である生体情報ページ画面を生成する生体情報ページ画面生成部と、
１日又は１日を整数分割した３時間以上の部分日の長さを表す所定の長さのバー表示、及び、該バー表示上の位置によって時刻を表す目印表示から構成される第１時刻表示を生成する第１時刻表示処理部と、
生体情報の時間変化を表す波形である生体情報波形を取得する生体情報波形取得部と、
前記生体情報波形取得部が取得した前記生体情報波形を前記生体情報ページ画面の特定領域に配置させ、前記第１時刻表示を前記生体情報ページ画面内に配置した前記生体情報ページ画面を前記ディスプレイに表示させる表示部と、
を備え、
前記第１時刻表示処理部は、前記特定領域に配置される前記生体情報波形の測定時刻に連動して前記第１時刻表示を更新することを特徴とする、
生体情報表示制御装置。
【請求項１９】
ディスプレイに表示させる表示データを生成する生体情報処理装置であって、
生体情報を示すページ画面である生体情報ページ画面を生成する生体情報ページ画面生成部と、
１日又は１日を整数分割した３時間以上の部分日の長さを表す所定の長さのバー表示、及び、該バー表示上の位置によって時刻を表す目印表示から構成される第１時刻表示を生成する第１時刻表示処理部と、
生体情報の時間変化を表す波形である生体情報波形を取得する生体情報波形取得部と、
前記生体情報波形取得部が取得した前記生体情報波形を前記生体情報ページ画面の特定領域に配置させ、前記第１時刻表示を前記生体情報ページ画面内に配置した前記生体情報ページ画面の前記表示データを生成する表示データ生成部と、
を備え、
前記第１時刻表示処理部は、前記特定領域に配置される前記生体情報波形の測定時刻に連動して前記第１時刻表示を更新することを特徴とする、
生体情報処理装置。
【発明の詳細な説明】
【技術分野】
【０００１】
本発明は、バイタルサインをモニタリングする生体情報表示装置、及び、その表示を制御する生体情報表示制御装置、及び、その表示させる表示データを生成する生体情報処理装置に関する。
【背景技術】
【０００２】
生体情報モニタには、心電図、心拍数、ＳＰＯ２、血圧、呼吸、体温等の様々な情報が表示され、その表示を見て医師は、患者の状態を把握する。医師は患者の状態を把握する上で、生体情報モニタに記憶される過去の生体情報を呼び出して表示させることがある。そのような機能を有するものとして、生体波形とその波形を取得した時刻とが関係づけてハードディスク装置等に記録しておき、このハードディスク装置より所定時間間隔の生体波形を読出し、その生体波形を測定日、測定時刻と共にディスプレイの所定領域に表示させる生体情報編集装置が提案されている（例えば、特許文献１参照）。その生体情報編集装置は、ハードディスク装置より所定時間間隔の生体波形を読みだす際に、読み出したい生体波形の時間範囲、及び、所定時間間隔を入力させる。これにより、所定時間間隔の生体波形が複数読み出されて、ディスプレイに表示される。
【先行技術文献】
【特許文献】
【０００３】
【特許文献１】特開平１１−２１６１１９号公報
【発明の概要】
【発明が解決しようとする課題】
【０００４】
ところで、上記生体情報編集装置は、ハードディスク装置より読み出した生体波形、及びその生体波形の測定日、測定時刻を１列に並べた１組の生体波形に関する情報を、複数列にわたって配置させてディスプレイに表示させている。各生体波形の測定日、測定時刻は、それぞれ生体波形毎に具体的な数字で小さく表示される。このため、医師は生体波形に関する測定日、測定時刻を一見して把握することが容易ではない。また、上記生体情報編集装置は、生体波形の読み出しに際して、読み出したい生体波形の時間範囲、及び、所定時間間隔をわざわざ入力しなければならず、操作が煩雑である。
【０００５】
本発明は、斯かる実情に鑑み、ディスプレイに表示される波形の測定日時を容易に把握させる生体情報表示装置、その表示を制御する生体情報表示制御装置、及び、その表示させる表示データを生成する生体情報処理装置を提供することを目的とする。
【課題を解決するための手段】
【０００６】
本発明は、上記課題を解決するためになされたものであり、本発明の生体情報表示装置は、ディスプレイと、生体情報を示すページ画面である生体情報ページ画面を生成する生体情報ページ画面生成部と、１日又は１日を整数分割した３時間以上の部分日の長さを表す所定の長さのバー表示、及び、該バー表示上の位置によって時刻を表す目印表示から構成される第１時刻表示を生成する第１時刻表示処理部と、生体情報の時間変化を表す波形である生体情報波形を取得する生体情報波形取得部と、上記生体情報波形取得部が取得した上記生体情報波形を上記生体情報ページ画面の特定領域に配置すると共に、上記第１時刻表示を上記生体情報ページ画面内に配置した上記生体情報ページ画面を上記ディスプレイに表示させる表示部と、を備え、上記第１時刻表示処理部は、上記特定領域に配置される上記生体情報波形の測定時刻に連動して上記第１時刻表示を更新することを特徴とする。
【０００７】
また、本発明の生体情報表示装置において、上記目印表示の移動操作を受け付ける目印表示移動操作部を備え、上記第１時刻表示処理部は、上記移動操作に応じた上記バー表示上の位置に上記目印表示を移動させ、上記生体情報波形取得部は、上記目印表示が移動されると、上記バー表示上における移動後の上記目印表示の位置に対応する時刻を測定時刻とする上記生体情報波形を取得することを特徴とする。
【０００８】
また、本発明の生体情報表示装置において、上記特定領域に配置される上記生体情報波形の測定時刻を数字で表す第２時刻表示を生成する第２時刻表示処理部を備え、上記表示部は、さらに、上記生体情報ページ画面内に上記第２時刻表示を配置して上記ディスプレイに表示させることを特徴とする。
【０００９】
また、本発明の生体情報表示装置において、上記第２時刻表示処理部は、上記特定領域に配置される上記生体情報波形の測定時刻が更新されると、連動して上記第２時刻表示を更新することを特徴とする。
【００１０】
また、本発明の生体情報表示装置において、上記第２時刻表示の時刻を変更する時刻変更操作を受け付ける時刻表示操作部を備え、上記第２時刻表示処理部は、上記時刻表示操作部が受け付けた上記時刻変更操作に応じた時刻に上記第２時刻表示を更新し、上記生体情報波形取得部は、上記第２時刻表示に表示される時刻が変更されると、その変更時刻を測定時刻とする上記生体情報波形を取得することを特徴とする。
【００１１】
また、本発明の生体情報表示装置において、上記特定領域に配置される上記生体情報波形の測定日を表示する日付表示を生成する日付表示処理部を備え、上記表示部は、さらに、上記生体情報ページ画面内に上記日付表示を配置して上記ディスプレイに表示させることを特徴とする。
【００１２】
また、本発明の生体情報表示装置において、上記日付表示処理部は、上記特定領域に配置される上記生体情報波形の測定日が更新されると、連動して上記日付表示を更新することを特徴とする。
【００１３】
また、本発明の生体情報表示装置において、上記日付表示の日付を変更する日付変更操作を受け付ける日付表示操作部を備え、上記日付表示処理部は、上記日付表示操作部が受け付けた上記日付変更操作に応じた日付に上記日付表示を更新し、上記生体情報波形取得部は、上記日付表示に表示される日付が変更されると、その変更される日付を測定日とする上記生体情報波形を取得することを特徴とする。
【００１４】
また、本発明の生体情報表示装置において、上記特定領域内に配置させる上記生体情報波形を移動させることで表示範囲を選択する操作を受け付ける波形表示範囲選択操作部を備え、上記生体情報波形取得部は、上記表示範囲に応じた上記生体情報波形を取得することを特徴とする。
【００１５】
また、本発明の生体情報表示装置において、上記波形表示範囲選択操作部は、測定時刻順に配置される上記生体情報波形をスクロール移動させるスクロール操作によって上記表示範囲を受け付けるようになっており、上記生体情報波形取得部は、上記スクロール操作の操作量に応じた上記生体情報波形を取得することを特徴とする。
【００１６】
また、本発明の生体情報表示装置において、上記ディスプレイは、タッチパネルディスプレイであり、上記目印表示移動操作部は、上記ディスプレイに表示される上記目印表示にタッチ操作をされた状態で、上記バー表示上に沿ったスライド操作をされることにより上記目印表示の移動の操作を受け付けることを特徴とする。
【００１７】
また、本発明の生体情報表示装置において、上記ディスプレイは、タッチパネルディスプレイであり、上記時刻表示操作部は、上記ディスプレイに表示される上記第２時刻表示にタッチ操作をされることにより上記時刻変更操作を受け付けることを特徴とする。
【００１８】
また、本発明の生体情報表示装置において、上記ディスプレイは、タッチパネルディスプレイであり、上記日付表示操作部は、上記ディスプレイに表示される上記日付表示にタッチ操作をされることにより上記日付変更操作を受け付けることを特徴とする。
【００１９】
また、本発明の生体情報表示装置において、上記バー表示は、１日の長さを少なくとも１行で表示されるものであることを特徴とする。
【００２０】
また、本発明の生体情報表示装置において、午前又は午後を表す午前午後表示を生成する午前午後表示処理部を備え、上記バー表示は、上記部分日となる１２時間を少なくとも１行で表示し、上記午前又は午後の表示と組み合されて表示され、上記午前午後表示処理部は、上記第１時刻表示が更新されて時刻が午前、または、午後に変更されると、上記午前午後表示を更新することを特徴とする。
【００２１】
また、本発明の生体情報表示装置において、上記バー表示は、１日を複数行にわたって表示されるものであることを特徴とする。
【００２２】
また、本発明の生体情報表示装置において、上記バー表示における時間を単位時間毎に区切って、該単位時間の長さを表す所定の長さの単位時間バー表示、及び、上記単位時間バー表示上における位置によって上記単位時間内における経過時間を表す目印表示である単位時間目印表示から構成される単位時間表示を生成する単位時間表示処理部を備え、上記第１時刻表示処理部における上記バー表示上における上記目印表示は、上記単位時間目印表示の位置と連動して移動し、上記表示部は、さらに、上記生体情報ページ画面内に上記単位時間表示を配置して上記ディスプレイに表示させることを特徴とする。
【００２３】
また、本発明の生体情報表示制御装置は、ディスプレイへの表示を制御する生体情報表示制御装置であって、生体情報を示すページ画面である生体情報ページ画面を生成する生体情報ページ画面生成部と、１日又は１日を整数分割した３時間以上の部分日の長さを表す所定の長さのバー表示、及び、該バー表示上の位置によって時刻を表す目印表示から構成される第１時刻表示を生成する第１時刻表示処理部と、生体情報の時間変化を表す波形である生体情報波形を取得する生体情報波形取得部と、上記生体情報波形取得部が取得した上記生体情報波形を上記生体情報ページ画面の特定領域に配置させ、上記第１時刻表示を上記生体情報ページ画面内に配置した上記生体情報ページ画面を上記ディスプレイに表示させる表示部と、を備え、上記第１時刻表示処理部は、上記特定領域に配置される上記生体情報波形の測定時刻に連動して上記第１時刻表示を更新することを特徴とする。
【００２４】
また、本発明の生体情報処理装置は、ディスプレイに表示させる表示データを生成する生体情報処理装置であって、生体情報を示すページ画面である生体情報ページ画面を生成する生体情報ページ画面生成部と、１日又は１日を整数分割した３時間以上の部分日の長さを表す所定の長さのバー表示、及び、該バー表示上の位置によって時刻を表す目印表示から構成される第１時刻表示を生成する第１時刻表示処理部と、生体情報の時間変化を表す波形である生体情報波形を取得する生体情報波形取得部と、上記生体情報波形取得部が取得した上記生体情報波形を上記生体情報ページ画面の特定領域に配置させ、上記第１時刻表示を上記生体情報ページ画面内に配置した上記生体情報ページ画面の上記表示データを生成する表示データ生成部と、を備え、上記第１時刻表示処理部は、上記特定領域に配置される上記生体情報波形の測定時刻に連動して上記第１時刻表示を更新することを特徴とする。
【発明の効果】
【００２５】
本発明の生体情報表示装置及び生体情報表示制御装置によれば、ディスプレイに表示される波形の測定日時を容易に把握させることができるという優れた効果を奏し得る。また、本発明の生体情報処理装置によれば、ディスプレイに表示される波形の測定日時を容易に把握させる表示データを生成することができるという優れた効果を奏し得る。
【図面の簡単な説明】
【００２６】
【図１】本発明の実施の形態における生体情報モニタの斜視図である。
【図２】本発明の実施の形態における生体情報モニタのハード構成を示す概要図である。
【図３】本発明の実施の形態における生体情報モニタの機能ブロック図である。
【図４】本発明の実施の形態における生体情報モニタに表示される生体情報ページ画面を示す図である。（ｂ）は（ａ）の状態から目印表示を時間が進む方向へ移動させた際の生体情報ページ画面を示す図である。
【図５】本発明の実施の形態における生体情報モニタに表示される生体情報ページ画面を示す図である。（ａ）は所定の時間的な長さを有する心電図波形が時刻順に特定領域の上下方向に１列に並んで配置される生体情報ページ画面を示す図であり、（ｂ）は時間軸が特定領域の幅方向へ延びる１行表示の心電図波形、脈波が特定領域に配置される生体情報ページ画面を示す図である。
【図６】本発明の実施の形態における生体情報モニタに表示されるバー表示、及び、目印表示を示す図である。（ａ）は午前午後表示を備える１行で構成されるバー表示、及び、目印表示を示す図であり、（ｂ）は２行で構成されるバー表示、及び、目印表示を示す図であり、（ｃ）は１行で構成されるバー表示、及び、目印表示と、１行で構成される単位時間バー表示、及び、単位時間目印表示を示す図であり、（ｄ）は２行で構成される単位時間バー表示、及び、単位時間目印表示を示す図である。
【図７】本発明の実施の形態における生体情報モニタに表示される時刻表示を操作する様子を示す図である。（ａ）は生体情報モニタに表示される時刻表示の「分」の部分を操作する様子を示す図であり、（ｂ）は生体情報モニタに表示される生体情報波形を操作して時刻表示が変更する様子を示す図である。
【図８】本発明の実施の形態における生体情報モニタに表示される日付表示を操作する様子を示す図である。（ａ）は生体情報モニタに表示されるカレンダーボタンを操作する様子を示す図であり、（ｂ）はカレンダーボタンを操作して出現するカレンダー表示の一例を示す図である。
【図９】本発明の実施の形態における生体情報モニタに表示される生体情報ページ画面、及び、測定日時表示を示す図である。（ａ）は測定日時表示を生体情報モニタに表示させる操作の様子を示す図であり、（ｂ）は操作の結果、生体情報モニタに測定日時表示を表示させた様子を示す図である。
【図１０】本発明の実施の形態における生体情報モニタに表示される生体情報ページ画面、及び、測定日時表示を示す図である。（ａ）は測定日時表示を生体情報モニタに表示させる操作の様子を示す図であり、（ｂ）は操作の結果、生体情報モニタに測定日時表示を表示させた様子を示す図である。
【発明を実施するための形態】
【００２７】
以下、本発明の実施の形態を添付図面を参照して説明する。なお、以下において本発明の実施の形態における生体情報表示装置として、生体情報モニタを一例にとって説明するが、これ以外の生体情報が表示されるその他の装置も本発明の範囲に含まれる。
【００２８】
＜１．生体情報モニタ全体概要＞
図１を参照して、本発明の実施の形態における生体情報モニタ１について説明する。生体情報モニタ１は、図１（ａ）に示すように、主としてタッチパネルディスプレイを備えたタブレット型のコンピュータにより構成される。生体情報モニタ１は、図１（ｂ）に示すように、支持台３に取り付けられ、支持台３に支持される。
【００２９】
検知装置インターフェース２は、例えば、生体情報検知装置に対して接続コネクタ部２ａを介して接続される。生体情報検知装置は、被験者の生体に関する状態を検知して、その状態に対応する生体信号を出力するものである。生体情報検知装置として、たとえば、心臓の活動電位を検知するための心電電極、血圧を検知するための血圧検知装置、体温を検知するための体温計、ＳｐＯ２を検知するためのＳｐＯ２検知装置（例えば、パルスオキシメーター）等が挙げられる。
【００３０】
生体情報モニタ１及び検知装置インターフェース２それぞれには、例えば、ＵＳＢ（Ｕｎｉｖｅｒｓａｌ  Ｓｅｒｉａｌ  Ｂｕｓ）端子１ｂ，２ｂが設けられ、ＵＳＢケーブルを介して接続される。なお、検知装置インターフェース２と生体情報モニタ１との接続態様は、データを生体情報モニタ１に送ることができれば、ＩＥＥＥ１３９４等のシリアルバス方式、ＳＣＳＩ（Ｓｍａｌｌ  Ｃｏｍｐｕｔｅｒ  Ｓｙｓｔｅｍ  Ｉｎｔｅｒｆａｃｅ）等のパラレルバス方式等を用いた有線通信接続態様、又は、ＲＦＩＤ（Ｒａｄｉｏ  Ｆｒｅｑｕｅｎｃｙ  Ｉｄｅｎｔｉｆｉｅｒ）、ＮＦＣ  （Ｎｅａｒ  Ｆｉｅｌｄ  Ｃｏｍｍｕｎｉｃａｔｉｏｎ）、Ｂｌｕｅｔｏｏｔｈ（登録商標）等を用いた無線通信接続であってもよい。また、検知装置インターフェース２は、例えば、図１（ｂ）に示すように、支持台３に取り付けられ、支持台３に支持される。
【００３１】
次に、図２を参照して生体情報モニタ１、及び、検知装置インターフェース２の構成について説明する。生体情報モニタ１は、例えば、制御部１０と、タッチパネルディスプレイ１１と、接続コネクタ１２と、アンテナ１３と、スピーカ１４と、バッテリ１５とを備える。制御部１０は、生体情報モニタ１内の各制御を行うものである。
【００３２】
制御部１０は、例えば、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、記憶媒体１０４、無線通信インターフェース１０５、有線通信インターフェース１０６、操作入力インターフェース１０７、表示制御部１０８と、音声制御部１０９と、発光制御部１１０とを備える。なお、図２においてインターフェースは、Ｉ／Ｆと表記される。
【００３３】
ＣＰＵ１０１は、生体情報モニタ１内の全体の処理を司るものであり、作業領域としてＲＡＭ１０２を使用する。ＲＯＭ１０３には、例えば、生体情報モニタ１を起動させるためのプログラムや、その他のＣＰＵ１０１で実行される基本的なプログラムが書き込まれている。記憶媒体１０４は、例えば、ソリッドステートドライブ（ｓｏｌｉｄ  ｓｔａｔｅ  ｄｒｉｖｅ：ＳＳＤ）やフラッシュメモリ等により構成される。記憶媒体１０４には、例えば、生体情報モニタ１の基本的な動作を実現するオペレーティングシステム（Ｏｐｅｒａｔｉｎｇ  Ｓｙｓｔｅｍ：ＯＳ）や、そのオペレーティングシステムに依存するプログラムが書き込まれる。また、記憶媒体１０４は、供給されるデータの保存場所として機能する。
【００３４】
無線通信インターフェース１０５は、例えば、外部装置との間で無線通信により送受信されるデータの変換処理（変調・復調）等を行うものであり、アンテナ１３と接続される。アンテナ１３は、外部から送信されるデータを受信して無線通信インターフェース１０５へ送る。また、アンテナ１３は、無線通信インターフェース１０５から供給されるデータを外部へ送信する。無線通信インターフェース１０５として、例えば、ＲＦＩＤ、ＮＦＣ、Ｂｌｕｅｔｏｏｔｈ（登録商標）等を用いたものが一例として挙げられる。
【００３５】
有線通信インターフェース１０６は、例えば、外部装置との間で有線通信により送受信されるデータの変換処理等を行うものであり、接続コネクタ１２と接続される。有線通信インターフェース１０６として、例えば、ＵＳＢ等のシリアルバス規格を用いたものが挙げられるが、これに限定されるものではない。その他の有線通信インターフェース１０６として、ＩＥＥＥ１３９４等のシリアルバス方式、ＳＣＳＩ等のパラレルバス方式を採用したいずれのものであってもよい。
【００３６】
操作入力インターフェース１０７は、外部からの操作をＣＰＵ１０１へ伝えるものである。表示制御部１０８は、タッチパネルディスプレイ１１にＣＰＵ１０１からの命令に従った表示をさせるものである。音声制御部１０９は、スピーカ１４へＣＰＵ１０１からの命令に従った音声の出力を行うものである。発光制御部１１０は、ＣＰＵ１０１からの命令に従って発光部１６，１７のオンオフを行うものである。発光制御部１１０は、例えば、ＣＰＵ１０１から生体情報に関する報知信号を受けて、発光部１６，１７の両方、又は、いずれか一方を発光させる。また、発光制御部１１０は、例えば、ＣＰＵ１０１から生体情報に関する報知解除信号を受けて、発光部１６，１７の両方、又は、いずれか一方を消灯又は、上記とは別態様で発光させる。
【００３７】
タッチパネルディスプレイ１１は、表示及び操作入力の受け付けを行うものである。上記操作入力の受け付けは、タッチパネルディスプレイ１１の表示面に直接指等でタッチ操作を行うことによって実現される。タッチ操作として、例えば、タップ、ダブルタップ、スクロール、ピンチイン、ピンチアウト、スライド等のジェスチャ操作が挙げられるが、これに限定されるものではなく、その他の全てのジェスチャ操作も含まれる。タッチ操作を行うと、操作入力インターフェース１０７は、そのタッチ操作に対応する操作信号をＣＰＵ１０１へ伝える。バッテリ１５は、充電可能な蓄電池であり、生体情報モニタ１内の各部に電力を供給する。なお、バッテリ１５は、充電可能に外部電源と接続されるように構成されるとよい。
【００３８】
検知装置インターフェース２は、生体情報モニタ１と接続線２ｃを通じて接続される。また、検知装置インターフェース２は、たとえば、複数の生体情報検知装置のそれぞれの規格に適合するコネクタを備えており、生体情報検知装置のそれぞれと接続される。そして、検知装置インターフェース２は、接続線２ｃを通じて複数の生体情報検知装置のそれぞれから供給される生体信号に対して生体情報モニタ１で処理可能なよう所定の処理を行うインターフェースとしての役割を果たす。具体的に検知装置インターフェース２は、例えば、接続線２ｃを通じて複数の生体情報検知装置のそれぞれから供給される生体信号に基づいて、生体情報モニタ１で処理可能な生体情報を生成して生体情報モニタ１へ出力する。すなわち、検知装置インターフェース２は、生体情報検知装置と共に生体情報の測定装置として機能する。なお、上記生体情報モニタ１で処理可能な生体情報として、例えば、心臓の活動電位に対応する心電信号、心拍数、血中酸素濃度、血圧等が一例として挙げられるが、これに限定されるものではなく、その他の生体情報も含まれる。検知装置インターフェース２は、上記説明した有線通信接続態様、又は、無線通信接続態様によって生体情報モニタ１と接続される。
【００３９】
生体情報検知装置は、上記説明したように、例えば、心臓の活動電位を検知するための心電電極、血圧を検知するための血圧検知装置、体温を検知するための体温計、ＳｐＯ２を検知するためのＳｐＯ２検知装置等が挙げられる。なお、以上の生体情報検知装置は一例であって、本発明において生体情報検知装置は、被験者からその他の生体信号を検知するものであってもよい。
【００４０】
＜２．装置機能ブロック＞
次に、図３を参照して生体情報モニタ１の機能構成について説明する。生体情報モニタ１は、生体情報を表示するものであり、生体情報ページ画面生成部２００と、第１時刻表示処理部２０１と、生体情報波形生成部２０２と、生体情報波形保持部２０３と、生体情報波形取得部２０４と、第２時刻表示処理部２０５と、日付表示処理部２０６と、午前午後表示処理部２０７と、単位時間表示処理部２０８と、表示部２０９と、目印表示移動操作部２１０と、時刻表示操作部２１１と、日付表示操作部２１２と、波形表示範囲選択操作部２１３と、タッチパネルディスプレイ１１とを備える。
【００４１】
生体情報ページ画面生成部２００は、タッチパネルディスプレイ１１に表示される生体情報ページ画面を生成するものである。生体情報ページ画面とは、生体情報が配置されるページ画面を言う。生体情報ページ画面には、例えば、生体情報の時間変化を表す生体情報波形が配置される。また、生体情報ページ画面には、例えば、生体情報波形と共に、数値化される生体情報をはじめとする生体情報の一覧も追加された態様で配置されてもよい。
【００４２】
生体情報には、例えば、心拍数（ＨＲ）、経皮的動脈血酸素飽和度（ＳｐＯ２）、非観血血圧（ＮＩＢＰ）、呼吸（ＲＥＳＰ）、体温（ＴＥＭＰ）等様々な種類のものがある。生体情報ページ画面として、例えば、図４（ａ）に示されるような生体情報ページ画面３００や、図９（ａ）に示されるような生体情報ページ画面３３０が一例として挙げられる。生体情報ページ画面生成部２００は、主としてＲＯＭ１０３や記憶媒体１０４等に記憶されるプログラムをＣＰＵ１０１が実行することによって実現される。
【００４３】
第１時刻表示処理部２０１は、第１時刻表示を生成する。第１時刻表示は、１日又は１日を整数分割した３時間以上の部分日の長さを表す所定の長さのバー表示、及び、そのバー表示上の位置によって時刻を表す目印表示から構成される。例えば、バー表示の長さが２４時間を表すものであれば、目印表示がバー表示の真ん中に配置されれば、それは１２時を表すものである。したがって、第１時刻表示処理部２０１は、バー表示上の目印表示の位置を配置（移動）させることにより、第１時刻表示を更新する。
【００４４】
なお、バー表示の長さが１２時間（部分日）となる場合であって、０時〜１２時の範囲を意味する場合は、目印表示がバー表示の真ん中に配置されれば、それは６時を表す。また、バー表示の長さが１２時間（部分日）となる場合であって、１２時〜２４時の範囲を意味する場合は、目印表示がバー表示の真ん中に配置されれば、それは１８時を表す。一方、バー表示で「部分日」を示す場合は、時間帯域に関する補足情報（例えば午前・午後や、何時から何時まで）と組み合わされてバー表示の意味を判断することから、視認性の観点では「一日」の全体を「一つの画面」でバー表示する方が好ましい（バー自体は複数に分かれていても良い）。
【００４５】
また、第１時刻表示処理部２０１は、生体情報ページ画面の特定領域に配置される生体情報波形の測定時刻に連動して第１時刻表示を更新する。例えば、生体情報ページ画面の特定領域に配置される生体情報波形が別の測定時刻の生体情報波形になった場合、第１時刻表示処理部２０１は、その別の測定時刻に対応するバー表示上の位置に目印表示を配置（移動）させる。これにより、生体情報ページ画面の特定領域に配置される生体情報波形の測定時刻は、バー表示上における目印表示の位置を見れば一見して把握することができる。第１時刻表示処理部２０１は、主としてＲＯＭ１０３や記憶媒体１０４等に記憶されるプログラムをＣＰＵ１０１が実行することによって実現される。
【００４６】
目印表示移動操作部２１０は、目印表示の移動操作を受け付ける。第１時刻表示処理部２０１は、上記目印表示の移動操作に応じて上記目印表示を移動させる。すなわち、目印表示移動操作部２１０は、第１時刻表示を変更する操作を受け付ける。目印表示が移動されると、生体情報波形取得部２０４は、バー表示上における移動後の目印表示の位置に対応する時刻を測定時刻とする生体情報波形を取得する。以上のように、第１時刻表示と生体情報ページ画面の特定領域に配置される生体情報波形の測定時刻とは、互いに連動して動作する。また、第１時刻表示と数値化される生体情報をはじめとする生体情報の一覧も同様に、互いに連動して動作するようにしてもよい。
【００４７】
なお、本明細書中の生体情報波形取得部２０４を、所定の生体情報を取得する（図示しない）生体情報取得部に置き換えれば、生体情報波形以外の生体情報についても同様に本発明を適用することができる。
【００４８】
目印表示移動操作部２１０は、主としてタッチパネルディスプレイ１１及び操作入力インターフェース１０７で実現される。この場合、タッチパネルディスプレイ１１に表示される目印表示にタッチ操作を行った状態で、目印表示をバー表示上に沿ったスライド操作を行う操作態様が一例として想定されるが、これに限定されるものではなく、その他の操作態様であってもよい。
【００４９】
生体情報波形生成部２０２は、生体情報に基づいて、生体情報の時間変化を表す生体情報波形を生成するものである。生体情報波形は、例えば、心電図波形が想定される。この場合、横軸が時間軸で、縦軸が電位の大きさ等の生体情報の数値を表す軸（生体情報数値軸）となる。なお、生体情報波形は、心電図波形に限定されるものではなく、脈波やその他の上記生体情報に関する波形であってもよい。生体情報波形生成部２０２は、主としてＲＯＭ１０３や記憶媒体１０４等に記憶されるプログラムをＣＰＵ１０１が実行することによって実現される。
【００５０】
そして、生体情報波形生成部２０２で生成される生体情報波形は、例えば、生体情報波形保持部２０３において生体情報の測定時刻と関連付けられて保持される。生体情報波形保持部２０３は、例えば、生体情報波形と生体情報の測定時刻とをＲＯＭ１０３又は記憶媒体１０４に記憶されるプログラムに従ってＣＰＵ１０１が処理して、その結果を記憶媒体１０４に記憶させることにより実現される。
【００５１】
生体情報波形取得部２０４は、生体情報波形を取得するものである。生体情報波形取得部２０４が取得する生体情報波形は、生体情報ページ画面の特定領域に配置される。生体情報波形取得部２０４は、例えば、生体情報波形保持部２０３から生体情報波形を取得してもよい。また、生体情報波形取得部２０４は、例えば、生体情報波形生成部２０２から生体情報波形を直接取得してもよい。生体情報波形取得部２０４は、主としてＲＯＭ１０３や記憶媒体１０４等に記憶されるプログラムをＣＰＵ１０１が実行することによって実現される。
【００５２】
表示部２０９は、生体情報波形取得部２０４で取得される生体情報波形を生体情報ページ画面の特定領域に配置させ、第１時刻表示を生体情報ページ画面内に配置させた生体情報ページ画面をタッチパネルディスプレイ１１に表示させるものである。また、上記に加えて、表示部２０９は、数値化される生体情報をはじめとする生体情報の一覧も同様に、生体情報ページ画面の特定領域に配置させた生体情報ページ画面をタッチパネルディスプレイ１１に表示させてもよい。第１時刻表示が配置される場所は、例えば、図４（ａ）に示すように、生体情報ページ画面の特定領域の直下であってもよいし、生体情報ページ画面内のその他の場所であってもよい。
【００５３】
生体情報ページ画面の特定領域には、少なくとも１つの生体情報波形が配置されればよい。さらに、生体情報波形に加えて、数値化される生体情報をはじめとする生体情報の一覧が上記特定領域に配置されてもよい。生体情報ページ画面の特定領域は、例えば、図４（ａ）に示す生体情報ページ画面３００の特定領域３０１が一例として挙げられる。表示部２０９は、主として記憶媒体１０４等に記憶されるプログラムをＣＰＵ１０１が実行して、その結果出される命令を表示制御部１０８が実行することによって実現される。
【００５４】
第２時刻表示処理部２０５は、特定領域に配置される生体情報波形の測定時刻を数字で表す第２時刻表示を生成する。例えば、生体情報ページ画面の特定領域に配置される生体情報波形が、何らかの操作によって別の測定時刻のものに更新された場合、第２時刻表示処理部２０５は、第２時刻表示の表示をその別の測定時刻に更新する。第２時刻表示処理部２０５は、主としてＲＯＭ１０３や記憶媒体１０４等に記憶されるプログラムをＣＰＵ１０１が実行することによって実現される。
【００５５】
時刻表示操作部２１１は、上記第２時刻表示の時刻を変更する時刻変更操作を受け付ける。第２時刻表示処理部２０５は、上記時刻変更操作に応じた時刻に第２時刻表示を更新する。生体情報波形取得部２０４は、第２時刻表示に表示される時刻が変更されると、その変更される時刻を測定時刻とする生体情報波形を取得する。生体情報波形取得部２０４によって取得される生体情報波形は、表示部２０９によって生体情報ページ画面の特定領域に配置されてタッチパネルディスプレイ１１に表示される。また、第２時刻表示は、表示部２０９によって生体情報ページ画面に配置されてタッチパネルディスプレイ１１に表示される。以上のように、第２時刻表示と生体情報ページ画面の特定領域に配置される生体情報波形の測定時刻とは、互いに連動して動作する。また、第２時刻表示と数値化される生体情報をはじめとする生体情報の一覧も同様に、互いに連動して動作するようにしてもよい。
【００５６】
時刻表示操作部２１１は、主としてタッチパネルディスプレイ１１及び操作入力インターフェース１０７で実現される。この場合、時刻表示操作部２１１は、タッチパネルディスプレイ１１における第２時刻表示の表示面にタッチ操作をされることにより第２時刻表示の時刻変更操作を受け付ける。具体的に時刻表示操作部２１１は、例えば、スクロール操作により時刻表示を変更可能なスクロール時刻表示に対するスクロール操作を、第２時刻表示の時刻変更操作として受け付けるが、これは一例であって、その他の操作受け付け態様であってもよい。
【００５７】
日付表示処理部２０６は、生体情報ページ画面の特定領域に配置される生体情報波形の測定日を表示する日付表示を生成する。例えば、生体情報ページ画面の特定領域に配置される生体情報波形が、何らかの操作によって別の測定日に更新された場合、日付表示処理部２０６は、日付表示をその別の測定日に更新する。日付表示処理部２０６は、主としてＲＯＭ１０３や記憶媒体１０４等に記憶されるプログラムをＣＰＵ１０１が実行することによって実現される。
【００５８】
日付表示操作部２１２は、日付表示における日付を変更する日付変更操作を受け付けるものである。日付表示処理部２０６は、日付変更操作に応じた日付に日付表示を更新する。生体情報波形取得部２０４は、日付表示に表示される日付が変更されると、その日付を測定日付とする生体情報波形を取得する。生体情報波形取得部２０４によって取得される生体情報波形は、表示部２０９によって生体情報ページ画面の特定領域に配置されてタッチパネルディスプレイ１１に表示される。また、日付表示は、表示部２０９によって生体情報ページ画面に配置されてタッチパネルディスプレイ１１に表示される。以上のように、日付表示と生体情報ページ画面の特定領域に配置される生体情報波形の測定日付とは、互いに連動して動作する。また、日付表示と数値化される生体情報をはじめとする生体情報の一覧も同様に、互いに連動して動作するようにしてもよい。
【００５９】
日付表示操作部２１２は、主としてタッチパネルディスプレイ１１及び操作入力インターフェース１０７で実現される。この場合、日付表示操作部２１２は、タッチパネルディスプレイ１１における日付表示の表示面にタッチ操作をされることにより日付表示の時刻変更操作を受け付ける。具体的に日付表示操作部２１２は、例えば、スクロール操作により日付表示を変更可能なスクロール日付表示に対するスクロール操作を、日付表示の日付変更操作として受け付けるが、これは一例であって、その他の操作受け付け態様であってもよい。
【００６０】
午前午後表示処理部２０７は、午前又は午後を表す午前午後表示を生成する。バー表示が１２時間の長さを表す「部分日」である場合、バー表示と午前午後表示が組み合されることで１日を表す。何らかの操作によって第１時刻表示が更新されて、時刻が午前から午後、または、午後から午前に更新されると、午前午後表示処理部２０７は、午前午後表示を更新する。午前午後表示処理部２０７は、主としてＲＯＭ１０３や記憶媒体１０４等に記憶されるプログラムをＣＰＵ１０１が実行することによって実現される。
【００６１】
単位時間表示処理部２０８は、単位時間表示を生成するものである。単位時間表示は、バー表示における時間を単位時間毎に区切って、その単位時間の長さを表す所定の長さの単位時間バー表示、及び、単位時間バー表示上における位置によって単位時間内における経過時間を表す目印表示である単位時間目印表示から構成される。単位時間表示処理部２０８は、何らかの操作によって時刻が更新されると、単位時間バー表示上における単位時間目印表示の位置を更新する。
【００６２】
バー表示上における目印表示の位置と、単位時間バー表示上における単位時間目印表示の位置、生体情報ページ画面内の特定領域における生体情報波形の測定時刻とは、互いに連動して動作する。また、表示部２０９は、さらに、生体情報ページ画面内に単位時間表示を追加してタッチパネルディスプレイ１１に表示させる。単位時間表示処理部２０８は、主としてＲＯＭ１０３や記憶媒体１０４等に記憶されるプログラムをＣＰＵ１０１が実行することによって実現される。
【００６３】
波形表示範囲選択操作部２１３は、生体情報ページ画面の特定領域に配置させる生体情報波形を移動させることで表示範囲を選択する操作を受け付ける。表示範囲として、例えば、生体情報波形の時間帯が挙げられる。波形表示範囲選択操作部２１３により、特定領域に配置させる生体情報波形の時間帯（表示範囲）を選択する場合、例えば、生体情報ページ画面の特定領域（または、特定領域に時刻順に並ぶ生体情報波形）をスクロール操作によって時刻軸方向に沿って所望の時間帯（表示範囲）まで移動させればよい。なお、上記スクロール操作は、上記表示範囲を選択する操作の一例であって、その他の操作態様であってもよい。
【００６４】
生体情報波形取得部２０４は、波形表示範囲選択操作部２１３によって受け付けられる選択操作に応じた生体情報波形を取得する。上記スクロール操作に上記選択する操作を担わせる場合、生体情報波形取得部２０４は、スクロール操作の操作量に応じた生体情報波形を取得する。そして、表示部２０９は、生体情報波形取得部２０４が取得した生体情報波形を生体情報ページ画面の特定領域に配置させてタッチパネルディスプレイ１１に表示させる。
【００６５】
所定の時間範囲を有する生体情報波形が、例えば、図５（ａ）に示すように、特定領域において時刻順に複数行状に配置される場合、生体情報波形を列方向（複数行が並ぶ方向となるＥ方向）へスクロール操作を行うと、スクロール操作の操作量に対応する量だけ、測定時刻と共に生体情報波形は時間軸方向に沿って移動して、特定領域に配置される生体情報波形の時間帯（表示範囲）が更新（変更）される。
【００６６】
また、生体情報波形が、例えば、図５（ｂ）に示すように、特定領域において時間軸に沿って伸びていくようにタッチパネルディスプレイ１１にされる場合、時間軸に沿う行方向（波形が延びる方向となるＧ方向）へスクロール操作を行うと、スクロール操作の操作量に対応する量だけ、測定時刻と共に生体情報波形は時間軸方向に沿って移動して、特定領域に配置される生体情報波形の時間帯（表示範囲）が更新（変更）される。
【００６７】
波形表示範囲選択操作部２１３は、主としてタッチパネルディスプレイ１１及び操作入力インターフェース１０７で実現される。この場合、タッチパネルディスプレイ１１に表示される特定領域にタッチしてスクロール操作を行う操作態様が一例として想定される。
【００６８】
以上の生体情報モニタ１の機能によって実現される具体的な態様を以下において説明する。
【００６９】
＜３．生体情報ページ画面＞
図４を参照して生体情報ページ画面３００の一例について説明する。図４（ａ）に示すように、生体情報ページ画面３００には、生体情報ページ画面３００の上下方向中央部付近から上下方向上方にわたって特定領域３０１が配置される。特定領域３０１には、心電図波形等の生体情報波形が水平方向に延びるように配置されてタッチパネルディスプレイ１１に表示される（生体情報波形が複数行に亘って配置される場合もある）。
【００７０】
特定領域３０１に配置される生体情報波形として、例えば、心電図波形、脈波、経皮的動脈血酸素飽和度（ＳｐＯ２）、非観血血圧（ＮＩＢＰ）、呼吸（ＲＥＳＰ）等に関する波形が挙げられるが、これに限定されるものではなく、その他の生体情報に関する波形であってもよい。
【００７１】
そして、特定領域３０１の上部には、例えば、生体情報波形に対応する生体情報の種類名が配置される。生体情報ページ画面３００の上下方向の下端部付近に、特定領域３０１に配置させる生体情報を変更する生体情報表示ボタン３６０が配置される。この生体情報表示ボタン３６０に対して所定の操作を行うと、様々な生体情報を選択できる。ここで選択される生体情報に関する生体情報波形は特定領域に配置される。生体情報を変更すると、図４（ａ）及び図４（ｂ）に示すように、特定領域に配置される生体情報波形が「心電図波形」から「脈波」に変更される。
【００７２】
以上のことを以下において具体例を用いて説明する。例えば、生体情報表示ボタン３６０を選択すると、複数の生体情報名が表示される（図示しない）ポップアップウインドウが出現する。そこで、所望の生体情報名を選択すれば、対応する生体情報波形は特定領域に配置される。生体情報を変更するには、再度、生体情報表示ボタン３６０を選択すればよい。
【００７３】
生体情報ページ画面３００には、特定領域３０１内に配置される生体情報波形に対応する測定日時が様々な態様で表示される。特定領域３０１内に配置される生体情報波形に対応する測定日時に関する表示を以下において測定日時表示と呼ぶ。
【００７４】
＜４．生体情報ページ画面における測定日時表示＞
図４〜図１０を参照して測定日時表示について以下において順に説明する。
【００７５】
＜４−１．第１時刻表示（バー表示及び目印表示）＞
図４（ａ）に示すように、特定領域３０１の直下には、バー表示３０２及び目印表示３０３から構成される第１時刻表示３７０が配置される。バー表示３０２は、１行で２４時間分（１日分）を表す。すなわち、バー表示３０２の一端（左端）は０時を表し、バー表示３０２の中央部分は１２時を表し、バー表示３０２の他端（右端）は２４時を表す。
【００７６】
目印表示３０３は、図４（ａ）に示すように、バー表示３０２上に配置される。目印表示３０３は、矢印Ａ方向へ移動可能である。図４（ｂ）に示すように、タッチパネルディスプレイ１１における目印表示３０３の表示面が指でタッチされてドラッグ操作が行われると、目印表示３０３は移動する。タッチパネルディスプレイ１１における目印表示３０３の表示面に対して指でドラッグ操作が行なわれて、指がバー表示３０２に沿う方向（矢印Ａ方向）へ移動されると、目印表示３０３も指に追従して移動する。
【００７７】
なお、目印表示３０３の移動操作は上記態様に限定されるものではなく、例えば、バー表示３０２の両端付近に配置される目印表示移動ボタン表示３０４ａ，３０４ｂを指等でタッチして目印表示３０３を移動させてもよい。目印表示移動ボタン表示３０４ａが指等でタッチされると、目印表示３０３は時刻が進む方向へ移動する。一方、目印表示移動ボタン表示３０４ｂが指等でタッチされると、目印表示３０３は時刻が遡る方向へ移動する。
【００７８】
目印表示３０３が移動すると、それに連動して特定領域３０１内に配置される生体情報波形も変化する。すなわち、目印表示３０３が移動すると、それに連動して特定領域３０１内に配置される生体情報波形（図４（ａ）では心電図波形）は、例えば、特定領域３０１の上下方向（矢印Ｂ方向）、又は、特定領域３０１の幅方向（矢印Ｃ方向）へスクロール移動する。
【００７９】
例えば、図５（ａ）に示すように、所定の時間的な長さを有する心電図波形３１０ａが時刻順に特定領域３０１の上下方向に１０行に並んで、特定領域３０１に配置される場合を考える。１行が１分単位となっており、特定領域３０１の幅方向へ延びる１分間分の心電図波形３１０ａが、上下方向へ１０行に並ぶ。結果、特定領域３０１には１０分間分（１２時１９分〜１２時２８分）が表示される。生体情報モニタ１には、例えば、各患者に関する１ヶ月分の心電図波形が測定時刻と関連付けられて保存されている。そして、特定領域３０１には、ある患者の１ヶ月分の心電図波形のうち、ある特定の時刻に連続する１０分間分の心電図波形３１０ａが表示される。
【００８０】
例えば、タッチパネルディスプレイ１１において表示される特定領域３０１の表示面が指でタッチされて特定領域３０１の上下方向（例えば、Ｅ方向）へスクロール操作をされると、特定領域３０１内の心電図波形３１０ａは特定領域３０１の上下方向へスクロール移動して、特定領域３０１には別の測定時刻の心電図波形３１０ａが表示される。このタッチ操作は、波形表示範囲選択操作部２１３が担っている。
【００８１】
例えば、バー表示３０２に沿って目印表示３０３を時間が進む方向（矢印Ｄ方向）へスライド移動させると、それに連動して特定領域３０１内に配置される心電図波形３１０が、下方（矢印Ｅ方向）へ向かって自動的にスクロール移動して、測定時刻が進んだ心電図波形３１０ａが表示される。このタッチ操作は、目印表示移動操作部２１０が担っている。
【００８２】
同様に、バー表示３０２に沿って目印表示３０３を時間が戻る方向（矢印Ｄの反対方向）へスライド移動させると、それに連動して特定領域３０１内に配置される心電図波形３１０ａは特定領域３０１内において特定領域３０１の上方（矢印Ｅの反対方向）へ向かって自動的にスクロール移動して測定時刻が遡った心電図波形３１０ａが表示される。
【００８３】
なお、図５（ａ）に示すように、心電図波形３１０ａが時刻順に特定領域３０１の上下方向に１０行に並んで配置される場合、特定領域３０１には１０個分の波形が１分単位で配置される。この場合、測定時刻が１０個あるが、バー表示３０２における目印表示３０３が表す時刻は、その中のいずれの心電図波形３１０ａの測定時刻であってもよいが、最上行の最新時刻を表示することが望ましい。
【００８４】
また、例えば、図５（ｂ）に示すように、時間軸が特定領域３０１の幅方向へ延びる１行表示の心電図波形３１０ｂ及び脈波３１０ｃが、特定領域３０１に配置される場合を考える。特定領域３０１には、例えば、リアルタイムに測定される現在時刻を含む１０秒間程度の範囲となる。なお、上記１０秒間程度は一例であって、その他の長さの時間範囲であってもよい。また、特定領域３０１には、生体情報波形が少なくとも１つ配置されればよい。また、特定領域３０１に配置される生体情報波形の種類は、心電図波形３１０ｂ、脈波３１０ｃ以外の別の種類の生体情報波形であってもよい。
【００８５】
なお、生体情報モニタ１には、例えば、各患者に関する１ヶ月分の生体情報波形が測定時刻と関連付けられて保存されている。そして、特定領域３０１には、ある患者の１ヶ月分の生体情報波形のうち連続する１０秒間程度の心電図波形３１０ｂ及び脈波３１０ｃが配置される。
【００８６】
例えば、この特定領域３０１の表示面を指でタッチして、特定領域３０１の幅方向へスクロール操作をされると、心電図波形３１０ｂ及び脈波３１０ｃは特定領域３０１の幅方向へスクロール移動して、別の測定時刻の心電図波形３１０ｂ及び脈波３１０ｃが表示される。このタッチ操作は、波形表示範囲選択操作部２１３が担っている。
【００８７】
例えば、バー表示３０２に沿って目印表示３０３を時間が戻る方向（矢印Ｆ方向）へスライド移動させると、それに連動して特定領域３０１内に配置される心電図波形３１０ｂ及び脈波３１０ｃが、特定領域３０１内において特定領域３０１の幅方向一方（矢印Ｇ方向）へ向かって自動的にスクロール移動する。これにより、測定時刻が遡った心電図波形３１０ｂ及び脈波３１０ｃが特定領域３０１内に表示される。
【００８８】
同様に、バー表示３０２に沿って目印表示３０３を時間が進む方向（矢印Ｆの反対方向）へスライド移動させると、それに連動して特定領域３０１内に配置される心電図波形３１０ｂ及び脈波３１０ｃは、特定領域３０１内において特定領域３０１の幅方向他方（矢印Ｇの反対方向）へ向かって自動的にスクロール移動する。これにより、測定時刻が進んだ心電図波形３１０ｂ及び脈波３１０ｃが特定領域３０１内に表示される。このタッチ操作は、目印表示移動操作部２１０が担っている。
【００８９】
以上において、目印表示３０３を移動させると、それに連動して心電図波形３１０ｂ及び脈波３１０ｃもスクロール移動していたが、逆の場合も連動する。すなわち、心電図波形３１０ｂ及び脈波３１０ｃをスクロール移動させると、それに連動して目印表示３０３も移動する。
【００９０】
以上のような目印表示３０３を備えたバー表示３０２があれば、特定領域３０１に配置される心電図波形３１０ｂ及び脈波３１０ｃの測定時刻を、極めて素早く把握することができる。
【００９１】
＜４−１−１．バー表示の他の表示形態＞
次に、図６を参照して第１時刻表示処理部２０１によるバー表示の他の表示形態について以下説明する。図６（ａ）に示すように、バー表示４００は、１行で１２時間分を表す「部分日」表示となる。これだけでは２４時間分を表せないため、午前午後表示４０１を組み合わせて用いる。なお、「部分日」とする場合、少なくとも３時間以上、望ましくは６時間以上のバー表示とする。
【００９２】
午前午後表示４０１は、特定領域３０１に配置される生体情報波形の測定時刻に該当する「午前」表示又は「午後」表示のいずれか一方が、例えば、着色された態様でタッチパネルディスプレイ１１に表示される。特定領域３０１に配置される生体情報波形の測定時刻が午前である場合、図６（ａ）に示すように、「午前」表示が着色されてタッチパネルディスプレイ１１に表示される。これにより、現在のバー表示が、午前の１２時間分であるか午後の１２時間分であるかを識別できる。
【００９３】
なお、午前午後表示４０１は、以上の態様に限定されるものではなく、例えば、「午前」表示又は「午後」表示のいずれか一方のみがタッチパネルディスプレイ１１に表示されるものであってもよい。すなわち、午前午後表示４０１は、バー表示４００の午前、午後を補完的に表せれば、如何なる態様であってもよい。勿論、時刻（数値）で表示しても良い。
【００９４】
バー表示４１０は、図６（ｂ）に示すように、２行のバー表示で構成され、１行は０時〜１２時を表す午前バー表示４１１で、もう１行は１２時〜２４時を表す午後バー表示４１２である。この場合は、「一日分」のバー表示が分割表示されている状態と定義できる。
【００９５】
以上のように、１行のバー表示自体の時間の長さを１２時間とすると、一時間相当の目盛が大きくなるので、詳細な時間を判断しやすい。
【００９６】
次に、図６（ｃ）を参照して、第１時刻表示処理部２０１によるバー表示４２１に対して、単位時間表示処理部２０８による単位時間表示４２８を付加する場合を説明する。単位時間表示４２８は、単位時間バー表示４２２及び単位時間目印表示４２４により構成される。なお、バー表示４２１は、図４と同様に、０時〜２４時を表す。
【００９７】
単位時間表示４２８は、０分〜６０分を表す単位時間バー表示４２２と単位時間バー表示４２２上の目印表示である単位時間目印表示４２４を備える。単位時間目印表示４２４は、単位時間バー表示４２２上における位置によって１時間内における詳細経過時間を表す。すなわち、単位時間目印表示４２４は、バー表示４２１の目印表示４２３が位置する時刻における「分」を拡大して表す。なお、この単位時間バー表示４２２の長さは、バー表示４２０の長さと一致させているが、これに限定されるものではなく、視認性が確保可能であれば、より長くても短くてもよい。
【００９８】
単位時間バー表示４２２上における単位時間目印表示４２４の位置が変わると、それに連動してバー表示４２１上における目印表示４２３の位置も変わる。同様に、バー表示４２１上における目印表示４２３の位置が変わると、それに連動して単位時間バー表示４２２上における単位時間目印表示４２４の位置も変わる。
【００９９】
バー表示４２１は２４時間表示であるため、生体情報モニタ１の観察者は、より正確な時間を一見して把握しにくい。単位時間バー表示４２２、及び、単位時間目印表示４２４を設けることにより、生体情報モニタ１の観察者は、正確な時間を一見して把握できる。例えば、バー表示４２１を見ると１２時より少し右に位置するが、これだけでは、正確な時間を把握することができない。このような場合に、単位時間バー表示４２２をみれば、バー表示４２１上の目印表示４２３は１２時２０分であることを素早く判断できる。
【０１００】
また、目印表示４２３に対してドラッグ操作を行って、バー表示４２１上に沿って目印表示４２３をスライド移動させる場合、バー表示４２１は２４時間表示であるため、分単位レベルでの目印表示４２３のスライド移動は難しい。単位時間バー表示４２２、及び、単位時間目印表示４２４を設けることにより、分単位レベルでの目印表示４２３のスライド移動を容易にさせることができる。
【０１０１】
図６（ｄ）に示すように、単位時間バー表示４２２における時間をさらに単位時間（１０分間）に区切った単位時間表示４２９を用いて、単位時間表示４２８を補完してもよい。単位時間表示４２８における単位時間バー表示４２５は、その長さで１０分間が表される。また、単位時間バー表示４２５上の目印表示である単位時間目印表示４２６は、単位時間バー表示４２５上における位置によって１０分間内における経過時間を表す。すなわち、単位時間目印表示４２６は、例えば、時刻１２：００〜時刻１３：００という時間範囲における０分〜１０分、１０分〜２０分、２０分〜３０分、３０分〜４０分、４０分〜５０分、５０分〜６０分のそれぞれの１０分間内における経過時間を表す。なお、この単位時間バー表示４２５の長さは、バー表示４２２の長さと一致させているが、これに限定されるものではなく、視認性が確保可能であれば、より長くても短くてもよい。
【０１０２】
以上のような単位時間バー表示４２２，４２５および単位時間目印表示４２４，４２６は、例えば、バー表示４００〜バー表示４２０において補完的に用いられる態様が想定される。例えば、バー表示４００，４１０においてさらに細かい分単位のレベルで目印表示の移動をさせたい場合に用いる。単位時間バー表示４２２，４２５及び単位時間目印表示４２４，４２６は、常時、生体情報ページ画面３００に配置させておくのではなく、例えば、所定のタッチ操作や所定のメニューボタンを行うことによって出現させることが好ましい。
【０１０３】
また、以上の単位時間を１時間に設定した単位時間バー表示４２２や、単位時間を１０分間に設定した単位時間バー表示４２５は一例であって、バー表示や単位時間バー表示において区切る単位時間をさらに別の時間範囲にしたものも本発明の範囲に含まれる。
【０１０４】
＜４−２．第２時刻表示＞
ここで、図４に戻って第２時刻表示３０５について説明する。第２時刻表示３０５は、例えば、時表示３０６、及び、分表示３０７により構成される。時表示３０６は、時表示エリア３０６ａに配置され、時刻のうち「時」を表すものである。分表示３０７は、分表示エリア３０７ａに配置され、時刻のうち「分」を表すものである。なお、第２時刻表示３０５には、「秒」を表す（図示しない）秒表示が加えられてもよい。
【０１０５】
次に、第２時刻表示３０５の時刻表示変更態様について説明する。時表示エリア３０６ａには「０」〜「１２」、または、「０」〜「２３」までの数字が順に用意されており、分表示エリア３０７ａには「０」〜「５９」までの数字が順に用意されている。時刻のうち「時」が変わると、時表示エリア３０６ａにおける数字は、例えば、時表示エリア３０６ａの上下方向へスクロール移動して次の数字に変わる。また、時刻のうち「分」が変わると、分表示エリア３０７ａにおける数字は、例えば、分表示エリア３０７ａの上下方向へスクロール移動して次の数字に変わる。
【０１０６】
なお、時表示エリア３０６ａの「０」〜「１２」で時刻が表示される場合、（図示しない）午前午後表示「ＡＭ」または「ＰＭ」も組み合わされて表示されることが好ましい。この場合、午前午後表示「ＡＭ」または「ＰＭ」も時刻に応じて更新される。
【０１０７】
次に、第２時刻表示３０５の時刻表示変更操作について説明する。タッチパネルディスプレイ１１における時表示エリア３０６ａの表示面が指でタッチされて、時表示エリア３０６ａの上下方向へスクロール操作をされると、スクロール方向及びスクロール操作量に応じた数字が時表示エリア３０６ａに表示される。それが時刻のうち「時」を表すものである。また、分表示エリア３０７ａの表示面が指でタッチされて、分表示エリア３０７ａの上下方向へスクロール操作をされると、スクロール方向及びスクロール操作量に応じた数字が分表示エリア３０７ａに表示される。それが時刻のうち「分」を表すものである。
【０１０８】
また、第２時刻表示３０５では、バー表示３０２における目印表示３０３と連動して表示が更新される。例えば、図４（ｂ）に示すように、バー表示３０２における目印表示３０３が移動されると、時表示エリア３０６ａ及び分表示エリア３０７ａにおける数字が自動的にスクロール移動して、バー表示３０２における目印表示３０３の位置に対応する時刻が第２時刻表示３０５に表示される。
【０１０９】
また、同様に、バー表示３０２における目印表示３０３は、第２時刻表示３０５と連動して自動的に移動する。例えば、図７（ａ）に示すように、タッチパネルディスプレイ１１における第２時刻表示３０５の表示面をタッチして時刻をスクロールさせて第２時刻表示３０５に表示される時刻を変更すると、その時刻に対応するバー表示３０２上の位置に目印表示３０３は自動的に移動する。同時に、特定領域３０１内で生体情報波形がスクロール移動して第２時刻表示３０５に表示される時刻を測定時刻とする生体情報波形が特定領域３０１に表示される。
【０１１０】
また、図７（ｂ）に示すように、タッチパネルディスプレイ１１における特定領域３０１の表示面をタッチして生体情報波形をスクロール移動させて特定領域３０１に配置させる生体情報波形の測定時刻を変更すると、それに連動して第２時刻表示３０５もその測定時刻に対応する時刻に更新されるようにしてもよい。
【０１１１】
以上のように、目印表示３０３を備えたバー表示３０２に加えて、第２時刻表示３０５があれば、特定領域３０１に配置される生体情報波形の詳細な測定時刻を把握することができる。また、例えば、午前５時２６分付近の生体情報波形のようなピンポイントの時刻の生体情報波形を特定領域３０１に配置させたい場合、第２時刻表示３０５があれば、容易にピンポイントの時刻の生体情報波形を特定領域３０１に配置させることができる。
【０１１２】
＜４−３．日付表示＞
ここで、図４に戻って日付表示３０８について説明する。日付表示３０８は、例えば、日付表示エリア３０９内において日付表示エリア３０９の幅方向へスクロール可能な態様で配置される。日付表示エリア３０９に配置される日付表示３０８は、特定領域３０１に配置される心電図波形の測定日の日付になる。図４（ａ）に示すように、日付表示エリア３０９において日付表示３０８が３つ表示される場合、特定領域３０１に配置される生体情報波形の測定日の日付表示３０８には、例えば、色付け表示がされる等のような強調表示がなされる。
【０１１３】
また、特定領域３０１に配置される生体情報波形がスクロール移動された結果、特定領域３０１に配置される生体情報波形の測定日が変わると、該当する日付表示３０８には、色付け表示がなされる。また、日付表示エリア３０９に測定日に対応する日付表示３０８がない場合、日付表示エリア３０９で日付表示３０８がスクロール移動されて、対応する日付表示３０８が日付表示エリア３０９に表示される。
【０１１４】
また、例えば、タッチパネルディスプレイ１１における日付表示エリア３０９にタッチ操作（スクロール操作）を行うと、日付表示エリア３０９に配置させる日付表示３０８を変更することができる。タッチ操作（スクロール操作）をして日付表示エリア３０９に配置させる日付表示３０８を変更した上で、例えば、所望の日付表示３０８を指等でタッチ操作（例えば、ワンタップ、ダブルタップ等）をすると、その日付表示３０８に対応する測定日の生体情報波形が特定領域３０１に配置される。
【０１１５】
また、日付表示は上記日付表示３０８のような態様に限定されるものではなく、その他の態様であってもよい。日付表示のその他の態様について図８を参照して以下説明する。日付表示は、例えば、図８（ａ）に示すように、第２時刻表示３０５と同様の態様の日付表示３１１であってもよい。
【０１１６】
日付表示３１１は、例えば、月表示３１２、及び、日表示３１３により構成される。月表示３１２は、月表示エリア３１２ａに配置され、日付のうち「月」を表すものである。日表示３１３は、日表示エリア３１３ａに配置され、日付のうち「日」を表すものである。なお、日付表示３１１には、西暦または和暦等で表される年表示が加えられてもよい。
【０１１７】
次に、日付表示３１１の日付表示変更態様について説明する。月表示エリア３１２ａには「１」〜「１２」までの数字が順に用意されており、日表示エリア３１３ａには「１」〜「３１」までの数字が順に用意されている。月が変わると、月表示エリア３１２ａにおける数字は、例えば、月表示エリア３１２ａの上下方向へスクロール移動して対応する数字に変わる。また、日が変わると、日表示エリア３１３ａにおける数字は、例えば、日表示エリア３１３ａの上下方向へスクロール移動して対応する数字に変わる。
【０１１８】
次に、日付表示３１１の日付表示変更操作について説明する。タッチパネルディスプレイ１１における月表示エリア３１２ａの表示面が指でタッチされて、月表示エリア３１２ａの上下方向へスクロール操作をされると、スクロール方向及びスクロール操作量に応じた数字が月表示エリア３１２ａに表示される。それが日付のうち「月」となる。また、日表示エリア３１３ａの表示面が指でタッチされて、日表示エリア３１３ａの上下方向へスクロール操作をされると、スクロール方向及びスクロール操作量に応じた数字が日表示エリア３１３ａに表示される。それが日付のうち「日」となる。
【０１１９】
また、日付表示は、例えば、日付表示３０８に日付表示３１１を加えてもよい。また、日付表示は、例えば、日付表示３０８に代えてカレンダー日付表示３１５にしてもよい。例えば、タッチパネルディスプレイ１１における生体情報ページ画面３００の日付表示３１１の脇に配置されるカレンダーボタン３１４の表示面を指等でタッチ操作（例えば、ワンタップ、ダブルタップ等）すると、図８（ｂ）に示すようなカレンダー日付表示３１５が生体情報ページ画面３００内に出現する。
【０１２０】
カレンダー日付表示３１５では、特定領域３０１に配置される生体情報波形の測定日に色付き表示等の強調表示がなされる。カレンダー表示３１５は、例えば、一月単位で表示される。カレンダー表示３１５における月の表示を別の月にしたい場合、月移動ボタン表示３１６ａ，３１６ｂの表示面を指等でタッチ操作（例えば、ワンタップ、ダブルタップ等）する。これにより、カレンダー表示３１５における月の表示が次の月や前の月になる。
【０１２１】
また、カレンダー日付表示３１５における日を選択する場合、所望の日の表示面を指等でタッチ操作（例えば、ワンタップ、ダブルタップ等）する。これにより、所望の日が選択される。所望の日が選択されると、その日を測定日とする生体情報波形が特定領域３０１に配置される。
【０１２２】
＜４−４．測定日時表示の配置＞
次に、測定日時表示の配置態様について図９及び図１０を参照して説明する。生体情報ページ画面は、様々な態様が想定され、図４〜図８に適宜示す生体情報ページ画面３００のように生体情報波形がメインで表示されるものに限らない。生体情報ページ画面は、例えば、図９（ａ）に示すように、様々な種類の生体情報の一覧が示される生体情報ページ画面３３０であってもよい。
【０１２３】
生体情報ページ画面３３０の場合、様々な種類の生体情報がページ画面内に配置されるため、測定日時表示が配置されるスペースを取りづらい。このような場合、例えば、生体情報ページ画面３３０をタッチパネルディスプレイ１１の表示範囲を超える大きさのページ画面として、生体情報ページ画面３３０の下方に測定日時表示３４０を配置する。
【０１２４】
例えば、図９（ａ）に示すように、生体情報ページ画面３３０を生体情報一覧ページ部３３１と測定日時表示３４０とに分ける。図９（ａ）及び図９（ｂ）において太い枠線は、タッチパネルディスプレイ１１の表示範囲を示す。
【０１２５】
生体情報一覧ページ部３３１は、例えば、タッチパネルディスプレイ１１の表示範囲に収まるようにする。そして、生体情報一覧ページ部３３１では、第１特定領域３３２に生体情報波形が配置され、第２特定領域３３３に数値化される生体情報等が配置される。なお、第１特定領域３３２は、生体情報一覧ページ部３３１の上下方向中央から下端部にわたって広がる。また、第２特定領域３３３は、生体情報一覧ページ部３３１の上下方向中央から上端部にわたって広がる。
【０１２６】
測定日時表示３４０は、例えば、図９（ａ）及び図９（ｂ）に示すように、タッチパネルディスプレイ１１の表示面に対して指等でスクロール操作を行って、生体情報ページ画面３３０をスクロール移動させると出現するようにする。この際、少なくとも第１特定領域３３２と測定日時表示３４０とがタッチパネルディスプレイ１１の表示範囲に含まれるように、第１特定領域３３２と測定日時表示３４０とは生成される。このようにすれば、図４〜図８で説明したことが生体情報ページ画面３３０に対して適用できる。
【０１２７】
また、測定日時表示３４０は、図１０（ａ）に示されるように、例えば、生体情報ページ画面３５０に配置されるメニューボタン５が選択されることにより現れるものであってもよい。生体情報ページ画面３５０は、上記生体情報一覧ページ部３３１と同様のものである。なお、測定日時表示３４０の出現のトリガは、メニューボタン５の選択に限定されるものではなく、その他の態様（例えば、所定のジェスチャ操作等）であってもよい。
【０１２８】
測定日時表示３４０の出現態様は、様々なものが想定される。例えば、測定日時表示３４０は、生体情報ページ画面３５０に配置されるメニューボタン５が選択されると、ポップアップウインドウ３５２として、生体情報ページ画面３５０内を移動可能な態様で現れるものであってもよい。また、測定日時表示３４０は、生体情報ページ画面３５０に配置されるメニューボタン５が選択されると、例えば、生体情報ページ画面３５０内で生体情報波形が配置されていない第２特定領域３５３の全部又は一部を占有する固定領域に現れるものであってもよい。
【０１２９】
すなわち、測定日時表示３４０は、生体情報ページ画面３５０内において生体情報波形が配置される領域と共存できれば、生体情報ページ画面３５０内のいずれの場所に配置されてもよい。また、測定日時表示３４０は、上記ポップアップウインドウ３５２のように生体情報ページ画面３５０内を移動可能でも、又は、生体情報ページ画面３５０内を移動できなくてもよい。
【０１３０】
また、測定日時表示３４０を消去する場合、例えば、メニューボタン５を再度選択したり、測定日時表示３４０を消去する専用の消去ボタンを設けてそれらを選択したりすることにより測定日時表示３４０を消去させればよい。
【０１３１】
以上の生体情報モニタ１において、タッチパネルディスプレイ１１でディスプレイを構成させ、タッチパネルディスプレイ１１に対するタッチ操作で様々な操作を行ったが、これに限定されるものではなく、その他の態様の操作であってもよい。例えば、マウス、キーボード等をはじめとする外部入力装置を用いて以上説明した操作を実現するものも本発明に含まれる。
【０１３２】
以上の生体情報モニタ１等の生体情報表示装置のディスプレイに表示させる生体情報に関する表示を制御する生体情報表示制御装置も本発明に含まれる。すなわち、生体情報表示制御装置は、ディスプレイに接続され、そのディスプレイへの上記表示を制御するものである。
【０１３３】
また、生体情報モニタ１等の生体情報表示装置のディスプレイに表示させる生体情報に関する表示データを生成する生体情報処理装置も本発明の範囲に含まれる。この生体情報処理装置においては、生体情報表示装置における表示部を表示データ生成部に置き換えればよい。なお、表示データ生成部は、生体情報波形取得部が取得した生体情報波形を生体情報ページ画面の特定領域に配置させ、第１時刻表示を生体情報ページ画面内に配置させた生体情報ページ画面の表示データを生成するものである。
【０１３４】
尚、本発明の生体情報表示装置、生体情報表示制御装置、及び、生体情報処理装置は、上記した実施の形態に限定されるものではなく、本発明の要旨を逸脱しない範囲内において種々変更を加え得ることは勿論である。
【符号の説明】
【０１３５】
１  生体情報モニタ
１１  タッチパネルディスプレイ
２００  生体情報ページ画面生成部
２０１  第１時刻表示処理部
２０２  波形生成部
２０３  生体情報波形保持部
２０４  生体情報波形取得部
２０５  第２時刻表示処理部
２０６  日付表示処理部
２０７  午前午後表示処理部
２０８  単位時間表示処理部
２０９  表示部
２１０  目印表示移動操作部
２１１  時刻表示操作部
２１２  日付表示操作部
２１３  波形表示範囲選択操作部
３００、３３０、３５０  生体情報ページ画面
３０１  特定領域
３０２  バー表示
３０３  目印表示
３０５  第２時刻表示
３０８、３１１  日付表示
３１５  カレンダー表示
３４０  測定日時表示
３７０  第１時刻表示
４００、４１０、４２０、４２１  バー表示
４０１  午前午後表示
４１０  バー表示
４１１  午前バー表示
４１２  午後バー表示
４２２、４２５  単位時間バー表示
４２３  目印表示
４２４、４２６  単位時間目印表示
４２８、４２９  単位時間表示
【図１】
2018075223.tif 000003
【図２】
2018075223.tif 000004
【図３】
2018075223.tif 000005
【図４】
2018075223.tif 000006
【図５】
2018075223.tif 000007
【図６】
2018075223.tif 000008
【図７】
2018075223.tif 000009
【図８】
2018075223.tif 000010
【図９】
2018075223.tif 000011
【図１０】
2018075223.tif 000012